(57)【要約】      （修正有）【課題】スティックと親指のみで操作を行い、携帯電話の画面に指紋や皮脂等の付着を極力防止するマルチタッチ補助具を提供する。【解決手段】使用者の親指の第一関節の部位に装着できるゴム製バンド部材１１と、スティック部材１２とから成る。スティック部材１２の先端部分には導電性ゴムが設けられ、その先端からバンド部材１１の取付位置までの長さを使用者の親指の先端から第一関節までの長さと同一又は長く形成する。スティック部材１２を親指の爪上面に配置して装着することにより、スティック部材１２の先端部と親指の先端部とでピンチアウト又はピンチイン操作を親指のみで行うことができる。更にバンド部材１１に先端部が滑動性を有する導電性素材から成る第２スティック部材を前記スティック部材１２と反対側に取り付けることにより、親指の先端を画面にタッチさせずにマルチタッチ操作が可能となる。【選択図】図１
0003174740.tif 000002
【実用新案登録請求の範囲】
【請求項１】
使用者の第一指（親指）の第一関節の部位に装着できる伸縮自在のバンド部材(11)と、このバンド部材(11)と略直角方向に取り付けられたスティック部材(12)とからなり、
スティック部材(12)は少なくともその先端部分が導電性素材からなり、
スティック部材(12)の先端からバンド部材(11)の取付位置までの長さを、使用者の第一指の先端から第一関節までの長さと同一又は長く形成し、
前記スティック部材(12)を第一指の爪上面に配置して装着することにより、スティック部材(12)の先端部と第一指の先端部とで、ピンチアウト又はピンチイン操作を第一指のみで行うことができる多機能携帯電話の画面用マルチタッチ補助具。
【請求項２】
前記スティック部材(12)の先端部の導電性素材として、導電性ゴム等の滑り止め効果を有する素材を使用したことを特徴とする請求項１に記載の多機能携帯電話の画面用マルチタッチ補助具。
【請求項３】
前記バンド部材(11)に更に第２スティック部材(22)を取り付け、この第２スティック部材(22)は、前記スティック部材(12)と対向する反対側に設け、その少なくとも先端部分を滑動性を有する導電性素材から形成し、
前記スティック部材(12)を第一指の爪上面に配置し、前記第２スティック部材(22)を第一指の爪と反対側の下側に配置して使用できることを特徴とする請求項１又は２に記載の多機能携帯電話の画面用マルチタッチ補助具。
【請求項４】
前記バンド部材(11)が輪状ゴム製バンドから形成したことを特徴とする請求項１乃至３の何れか１項に記載の多機能携帯電話の画面用マルチタッチ補助具。
【請求項５】
前記スティック部材(12)及び第２スティック部材(22)を導電性を有する硬質合成樹脂製の棒状体から形成したことを特徴とする請求項１乃至４の何れか１項に記載の多機能携帯電話の画面用マルチタッチ補助具。
【考案の詳細な説明】
【技術分野】
【０００１】
本考案は、多機能携帯電話（スマートフォン）の表示画面を操作するためのマルチタッチ補助具に関するものである。
【背景技術】
【０００２】
現在、携帯電話に代わり、音声通話や電子メールによる通信機能は勿論のこと、パーソナルコンピュータ（ＰＣ）の機能を有し、インターネット接続機能、音楽、動画、ゲーム、及び個人情報管理等々について多様なフォーマットに対応する各種アプリケーション・プログラムもインストールできる多機能携帯電話（以下、「スマートフォン」という。）が爆発的な人気を博している。
【０００３】
このスマートフォンの表示画面は、タッチパネル方式で手の指によって画面にタッチして操作を行うものである。
その基本操作としては、１本の指で行う「タップ」、「ダブルタップ」、「フリック」及び「ドラッグ」等を挙げることができる。
また、２本の指で、例えば親指（第一指）と人差し指（第二指）を使用して行う「ピンチアウト」や「ピンチイン」の操作を挙げることができる。
【０００４】
タップというのは、ＰＣのマウスのクリックに対応し、１本の指先で軽く触れる又は叩く操作を意味し、ダブルタップは、前記動作を２回行う操作で、ＰＣのマウスで言うところのダブルクリックに対応するものである。また、フリックというのは、画面を指先で弾くように素早く動かす操作であり、ＰＣでいうところのスクロールに対応する。
他方、２本の指で操作するピンチアウトは、例えば親指と人差し指を揃えて画面にタッチし、その間隔を広げて画面表示を拡大する操作を意味し、ピンチインという操作は、前記親指と人差し指の間隔を狭めるように移動することにより画面表示を縮小する操作を意味する。
【０００５】
通常、スマートフォンを操作し使用する場合には、片手で操作することが多い。
前述の１本の指で操作するタップやダブルタップ等の操作では、第二指から第五指の４本の指と手の平でスマートフォン本体を保持し握ることができるが、ピンチアウトやピンチインの場合には、第三指から第五指の３本でスマートフォン本体を保持しなければならない。
この場合、３本の指のみで本体を保持するために、例えば電車等の乗物に載って操作する際には、本体を落としてしまうという危険性があったのである。
【考案の概要】
【考案が解決しようとする課題】
【０００６】
そこで、本考案においては、上記のようなピンチアウトやピンチインのような２本の指で操作するマルチタッチ操作に際して、２本の指を使用せずに、第一指（親指）のみで、これらマルチタッチ操作を行うことができるようにするための補助具を提供することをその課題としている。
また、本考案においては、使用者によっては、表示画面に指紋や皮脂の付着を嫌う人も多くいるために、指の先端を画面に全く付着させずに、マルチタッチ操作を行うことができるようにすることもその課題となる。
更に、補助具を使用するための種々の課題をクリアすることも本考案の課題となる。
【課題を解決するための手段】
【０００７】
上記課題を解決するために、本考案の第１のものは、使用者の第一指（親指）の第一関節の部位に装着できる伸縮自在のバンド部材と、このバンド部材と略直角方向に取り付けられたスティック部材とからなり、スティック部材は少なくともその先端部分が導電性素材からなり、スティック部材の先端からバンド部材の取付位置までの長さを、使用者の第一指の先端から第一関節までの長さと同一又は長く形成し、前記スティック部材を第一指の爪上面に配置して装着することにより、スティック部材の先端部と第一指の先端部とで、ピンチアウト又はピンチイン操作を第一指のみで行うことができる多機能携帯電話の画面用マルチタッチ補助具である。
【０００８】
本考案の第２のものは、上記第１の考案において、前記スティック部材の先端部の導電性素材として、導電性ゴム等の滑り止め効果を有する素材を使用したことを特徴とする多機能携帯電話の画面用マルチタッチ補助具である。
【０００９】
本考案の第３のものは、上記第１又は第２の考案において、前記バンド部材に更に第２スティック部材を取り付け、この第２スティック部材は、前記スティック部材と対向する反対側に設け、その少なくとも先端部分を滑動性を有する導電性素材から形成し、前記スティック部材を第一指の爪上面に配置し、前記第２スティック部材を第一指の爪と反対側の下側に配置して使用できることを特徴とする多機能携帯電話の画面用マルチタッチ補助具である。
【００１０】
本考案の第４のものは、上記第１乃至第３のそれぞれの考案において、前記バンド部材が輪状ゴム製バンドから形成したことを特徴とする多機能携帯電話の画面用マルチタッチ補助具である。
【００１１】
本考案の第５のものは、上記第１乃至第４のそれぞれの考案において、前記スティック部材及び第２スティック部材を導電性を有する硬質合成樹脂製の棒状体から形成したことを特徴とする多機能携帯電話の画面用マルチタッチ補助具である。
【考案の効果】
【００１２】
本考案の第１のものにおいては、伸縮自在のバンド部材とスティック部材とから成り、バンド部材を第一指の第一関節の部位に装着することにより、スティック部材が第一指の爪上面に配置されることとなる。
そして、スティック部材の先端部から取付部位までの長さが第一指の先端部から第一関節までの長さよりも長く（同一を含む）形成している。
【００１３】
これにより、スティック部材の先端部をスマートフォンの表示画面にタッチ（当接）させた状態で、第一指の先端部を第一関節を中心にして回動させることができるのである。
従って、スティック部材の先端を画面にタッチさせた状態で、第一指の先端部を画面にタッチして（マルチタッチ状態にして）指先を下側に移動させる（滑らせる）ことにより、スティック部材の先端部と第一指の先端部との間隔が広がることとなり、ピンチアウト操作が実行される。
【００１４】
他方、ピンチイン操作の場合には、スティック部材の先端を画面にタッチさせた状態で、第一指の先端部を画面に触れない状態で第一関節を曲げて、この第一指の先端部を下方に折り曲げた状態で画面にタッチし、その後その指先を上に跳ね上げるように移動させる（滑らせる）ことによりピンチイン操作が実行されるのである。
このようにして、１本の親指のみによって、この補助具を使用することによりマルチタッチ操作が可能となり、スマートフォン本体を落としてしまうという問題を解消させることができるのである。
【００１５】
尚、１本の指で操作可能な、タップやダブルタップ等の操作は、スティック部材の先端部又は親指の先端部の何れかで行うことができる。
スティック部材でこの操作を行えば、画面に指先の指紋や皮脂等が付着するという問題が防止できることとなる。
【００１６】
本考案の第２のものにおいては、上記効果に加えて、スティック部材をより限定したものであって、かかるスティック部材の先端部を導電性素材として、導電性ゴム等の滑り止め効果を有する素材を使用したことを特徴とするものである。
これにより、ピンチアウト又はピンチイン操作をよりし易くするものである。
つまり、スティック部材の先端を画面にタッチした状態において、親指の先端を画面にタッチして下方向に移動させる際、又は、スティック部材の先端を画面にタッチした状態で、親指の先端を画面にタッチさせて上方側に弾くような動作を行う際に、スティック先端部が画面上で滑動しないようにすることができるのである。
【００１７】
本考案の第３のものにおいては、バンド部材に更に第２スティック部材を取り付け、この第２スティック部材は、前記スティック部材と対向する反対側に設け、スティック部材を第一指の爪上面に配置すると、第２スティック部材は第一指の爪と反対側の下側に位置するように構成したものである。
これにより、２本のスティック部材を利用して、これら２本のスティック部材の先端部をスマートフォンの表示画面にマルチタッチさせ、ピンチアウト及びピンチイン操作を行うことができることとなるのである。
【００１８】
つまり、前記第１の発明で親指の先端で行う動作を第２スティック部材の先端部が行うようにしたものである。
これにより、画面には指先の指紋や皮脂等が付着する恐れは全く生じ無くなるのである。
更に、この第２スティック部材の先端部分は滑動性を有しており、滑り易くしたので、この第２スティック部材を表示画面上で容易に滑らせて移動させることが可能となる。
【００１９】
本考案の第４のものにおいては、バンド部材を限定したものであり、このバンド部材は輪状のゴム製バンドを使用したものである。
これにより、親指の第一関節の部位にバンド部材を伸張させ広げて嵌めることによって、簡単に装着することができることとなるのである。
【００２０】
本考案の第５のものにおいては、スティック部材及び第２スティック部材を更に限定したものであって、これを導電性を有する硬質合成樹脂製の棒状体から形成したものである。
このスティック部材を使用して、容易にバンド部材に取り付け、固定させることができ、その製作が容易となるものである。
また、合成樹脂製のため、その外形形状を各種の所望の形状、形態に成形することも容易にできることとなる。
【図面の簡単な説明】
【００２１】
【図１】本考案に係る多機能携帯電話の画面用マルチタッチ補助具の一実施形態を図示する斜視図であって、使用状態を示すものである。
【図２】上記実施形態に係るマルチタッチ補助具の使用方法を示す説明図であり、その（Ａ）がスティック部材を画面にタッチした状態を、その（Ｂ）がスティック部材と親指の両方をタッチした状態を示している。
【図３】本考案の第２の実施形態を図示する説明図である。
【考案を実施するための形態】
【００２２】
以下、添付の図面と共に、本考案の実施形態について説明する。
図１は、本考案に係る多機能携帯電話の画面用マルチタッチ補助具（以下「マルチタッテ補助具」という。）の一実施形態を図示する斜視図で、使用状態を示すものである。
本考案に係るマルチタッチ補助具１０は、第一指（親指）の第一関節の部位に装着する伸縮自在のバンド部材１１と、このバンド部材１１に取り付けられるスティック部材１２とから成る。
【００２３】
バンド部材１１は、適宜幅の合成ゴム製の輪状部材からなり、伸縮自在で、丁度親指の第一関節の周りに取り付け装着することができる。
スティック部材１２は、前記バンド部材１１の適宜部位にバンド部材１１と略直交する方向に取り付けられ、バンド部材１１を使用者の親指Ｔの第一関節の周りに装着した際に、丁度親指Ｔの爪部Ｎの上面側に位置することができる。
【００２４】
また、スティック部材１２は、合成樹脂製の棒状体から成るが、その先端部１２ｔには導電性ゴムが被覆されている。
従って、このスティック部材１２の先端部は、スマートフォンＳの表示画面Ｐにタッチすると滑り止め効果が発揮される。
【００２５】
操作方法については、後の図を用いて詳説するが、図１にある通り、本考案に係るマルチタッチ補助具１０を親指Ｔの第一関節の周囲に装着し、スマートフォンＳは、他の第二指から第五指の４本の指と手の平で保持される。
この状態で、スティック部材１２の先端から取付部１２ｃまでの距離が親指Ｔの先端から第一関節の部位までの長さよりも同一か長いため、親指Ｔの第一関節を少し曲げた状態で、スティック部材１２の先端部１２ｔを画面Ｐに容易に当接（タッチ）できる。
【００２６】
その後に親指Ｔの先端部を画面Ｐにタッチし、タッチした状態で上又は下にスライド移行させるのである。
矢印Ｄの方向に親指Ｔをスライドさせれば、ピンチアウト操作ができ、矢印Ｅの方向に親指Ｔをスライドすれば、ピンチイン操作ができるのである。
この際に、スティック部材１２の先端部１２ｔには、導電性ゴムが設けられているために、その先端部１２ｔは移動しないままの状態を維持できるのである。
【００２７】
その他のタップ、ダブルタップ、フリック等の操作については、スティック部材１２又は親指Ｔの何れかの先端部で行うことができる。
即ち、本考案に係るマルチタッチ補助具１０においては、従来のように２本の指を使用することなく、親指Ｔの１本のみで全ての操作が可能となるのである。
これにより、スマートフォンＳは、他の４本の指と手の平で保持され、落としてしまう恐れが少なくなるのである。
【００２８】
図２は、上記実施形態に係るマルチタッチ補助具の使用方法を示す説明図であり、その（Ａ）がスティック部材を画面にタッチした状態を、その（Ｂ）がスティック部材と親指の両方をタッチした状態を示している。
【００２９】
先ず最初に、スマートフォンの画面Ｐに、スティック部材１２の先端部１２ｔを当接する。この先端部１２ｔには導電性ゴムが被覆されているために、当接した状態を維持できる。即ち、その先端部１２ｔは、画面上を滑動し難いものとなる。
この状態で、親指Ｔの第一関節を少し曲げて、その後にその親指Ｔの先端部をスマートフォンの画面Ｐに当接するのである。この状態を図２（Ｂ）が示している。
【００３０】
その後、ピンチアウト又はピンチインの操作を行うために、親指Ｔの先端部を画面Ｐ上でスライド（滑動）させるのである。
画面上矢印Ｄの方向に親指Ｔの先端部を滑らせると、ピンチアウト操作となり、画面上矢印Ｅの方向に親指Ｔの先端部を滑らせると、ピンチイン操作となるのである。
このように、親指Ｔの１本で、これらの操作を簡単に行うことができるのである。
【００３１】
図３は、本考案の第２の実施形態を図示する説明図である。
この第２実施形態においては、上記実施形態の構成に更に第２スティック部材２２を付加したものである。
この第２スティック部材２２は、前記実施形態のスティック部材１２と同じ素材を用いた棒状体から成るが、その基端側端部がバンド部材１１の部分で終わっている。
【００３２】
このような構成としたのは、この第２スティック部材２２は、親指Ｔの爪側と反対側の下側（内側）に配置されるため、第一関節の部位でその基端部が終わるようにして、第一関節を曲げることができるようにしたのである。
これにより、第２スティック部材２２は、親指Ｔの先端部の動きに追従することができることとなるのである。
【００３３】
即ち、親指Ｔの第一関節から先の先端部を下方に動かせば、第２スティック部材２２の先端も矢印Ｄの方向にスライドし、親指Ｔの先端部を上方に動かせば、第２スティック部材２２の先端も矢印Ｅの方向にスライドすることとなるのである。
これにより、滑動しないスティック部材１２と上下に滑動する第２スティック部材２２の動きにより、ピンチアウト及びピンチイン操作が親指Ｔの１本の動きで実行できることとなるのである。
【００３４】
以上、本考案の実施形態について説明したが、本考案においては以下の通り種々設計変更することができる。
バンド部材の素材等は、伸縮自在であればよく、各種の合成ゴムを利用することができる。
その輪状直径サイズも自由に設計することができ、大、中、小の異なる複数のサイズのものを用意することができる。
そのバンド部材の幅も自由であるが、親指の第一関節の周囲に装着する関係上、余り幅の広いものは相応しくないが、堅牢性を考慮して、ある程度広幅のものを使用することもできる。
【００３５】
本考案においては、より厳密に説明すると、スティック部材は、親指の第一関節の動きに追従しない構成である。つまり、親指の第一関節から根本部側に固定されるのである。
他方、第２スティック部材は親指の第一関節から先の先端部分に追従する構成である。
従って、バンド部材に取り付けられるスティック部材１２は、第一関節から根本側に固定され、第２スティック部材２２は、第一関節から先端側に固定されるように形成してもよい。
【００３６】
それ故、バンド部材を一定の幅にせずに、或いは、バンド部材の第２スティック部材との接合部位を親指の先端側に延長して延長部を形成し、この延長部に第２スティック部材２２を取り付けるように構成してもよいのである。
その際に、バンド部材の下側（第２スティック部材の取付側）のみを先端側に幅広に形成して実施することもできるのである。
つまり、バンド部材は、一定幅のものでなく、第２スティック部材が連接される下側部分を先端側に膨出した形状に形成することもできるのである。
【００３７】
スティック部材及び第２スティック部材の素材も各種のものを使用することができるが、その少なくとも先端部には導電性の素材を付加する必要がある。
上記の実施形態では、その先端部に導電性ゴムを被覆したが、その先端部分の全体を全て導電性ゴムで形成することもできる。
スティック部材の長さも適宜自由に設計することができるが、使用者の指の長さを考慮して、長、中、短と、何種類かの長さのものを用意することができる。
【００３８】
スティック部材及び第２スティック部材の形状も自由に設計変更することができる。
上記実施形態では、いずれも棒状体（断面略円形又は楕円形）のものから形成したが、先端部分のみを断面円形形状又は楕円形形状にし、根元側（親指の第一関節部分及びその根元部側）を厚みの薄い薄板状に形成して、バンド部材との接合をより容易に行うことができるような形態にすることも可能である。
【００３９】
但し、先端部は、タップやダブルタップを行う関係上、ある程度接触面積が大きい形態にすることが望ましい。
スティック部材をバンド部材に取り付ける取付方法も自由である。
両者を溶着することもできるし、バンド部材を二重に配して、その間に接着することもできる。
従って、この取付方法により、スティック部材１２を親指の先端部に追従せず、第２スティック部材２２のみを追従するように容易に取り付け、接合することが可能となる。
【００４０】
以上、本考案は、極めて簡易な構成で、親指１本でマルチタッチ操作が可能となり、且つまた画面に指紋や皮脂等の付着も最小限に抑えることができる多機能携帯電話の画面用マルチタッチ補助具を提供することができたものである。
【符号の説明】
【００４１】
１０、２０  多機能携帯電話の画面用マルチタッチ補助具
１１  バンド部材
１２  スティック部材
１２ｔ  先端部（スティック部材の）
２２  第２スティック部材
Ｓ  スマートフォン
Ｐ  画面
Ｔ  親指（第一指）
【図１】
0003174740.tif 000003
【図２】
0003174740.tif 000004
【図３】
0003174740.tif 000005